(57)【要約】【課題】操作部の操作方向を全方向とすること、自動的に振出口を閉鎖させること、振出口を閉鎖させる機構が外側に露出しないことの、３条件を満たす調味料等の振出装置。【解決手段】容器本体に留める下側の固定キャップと、固定キャップに摺動可能な上側の可動キャップとを備え、容器本体の内容物を吐出する振出口を固定キャップ又は可動キャップに反対方向に有し、振出口を塞いだ状態では固定キャップの摺動面と可動キャップの半球面状の摺動面により略球面状の摺動面が形成される振出装置において、固定キャップの上面には内部空間に通じる開口部を有し、固定キャップの内側に可動キャップの下部を収容し、可動キャップの上面に操作部を備え、開口部の外周部を操作部の全方向への移動領域とし、可動キャップを支える弾性支持部材が固定キャップの内側に固定され、弾性支持部材は内容物の通過口を有すると共に全方向に傾倒・復元可能な弾性力を有する。【選択図】      図１
2011168328.tif 000002
【特許請求の範囲】
【請求項１】
容器本体の口部に連結する下側の固定キャップと、固定キャップに対して平面視して少なくとも一方向に摺動可能な上側の可動キャップとを備え、容器本体の内容物を固定キャップの内部空間を経て外部に吐出する振出口を固定キャップ又は可動キャップに平面視して前記一方向とは反対方向に有し、全ての振出口を塞いでいる平常状態では固定キャップの摺動面と可動キャップの半球面状の摺動面により全体として略球面状の摺動面が形成される振出装置において、
固定キャップの上面には内部空間に通じる平面視円形の開口部を有し、固定キャップの内側に可動キャップの下部を収容することによって平常状態では開口部を塞ぐと共に略球面状の摺動面を可動キャップの外面と固定キャップの内面によって形成し、
平面視して開口部の中心部であって可動キャップの上面中央部に可動キャップを操作する操作部を備えると共に開口部の外周部を操作部の全方向への移動領域とし、
操作部の下方には可動キャップを支える弾性支持部材が延長すると共に弾性支持部材の下部を固定キャップの内側に固定してあり、
弾性支持部材は内容物の通過口を有すると共に平面視して全方向に傾倒可能及び復元可能な弾性力を有することを特徴とする振出装置。
【請求項２】
固定キャップは、容器本体の口部に連結する下側の固定キャップ本体部と、固定キャップ本体部の上端部に嵌め合わせる上側の上部リングとを備えるものであり、
上部リングは、上面に形成される開口部の内側に可動キャップを保持すると共に、平常状態にある可動キャップの摺動面の下部に重なり合う摺動面を有するものであり、
固定キャップ本体部は、内側に弾性支持部材を保持すると共に、摺動状態にある可動キャップの摺動面の下部に重なり合う摺動面を有するものであることを特徴とする請求項１記載の振出装置。
【請求項３】
固定キャップ本体部に上部リングを嵌め合わせることによって可動キャップを介して弾性支持部材が下に押し込まれ、それに伴って発生する弾性支持部材からの上向きの復元力によって上部リングの摺動面と可動キャップの摺動面とが密接して重なり合うことを特徴とする請求項２記載の振出装置。
【請求項４】
弾性支持部材は、平面視して固定キャップの内部空間の中心に起立する支柱と、支柱を傾倒可能及び復元可能に支える脚とを備え、全ての脚を支柱の下部から垂下させて固定キャップの内側に固定すると共に、脚の周囲を内容物の通過口にし、支柱と全ての脚とのうち少なくとも一方が弾性を有することを特徴とする請求項１、２又は３記載の振出装置。
【請求項５】
支柱を傾倒可能及び復元可能に支える脚が複数本であって、全ての脚が縦格子状に設けられていることを特徴とする請求項４記載の振出装置。
【請求項６】
支柱を傾倒可能及び復元可能に支える脚が複数本であって、各脚の形状が末広がりの渦巻状に垂下することを特徴とする請求項４記載の振出装置。
【請求項７】
弾性支持部材は、平面視して固定キャップの内部空間の中心に起立する支柱と、支柱を傾倒可能及び復元可能に支える仕切片とを備え、仕切片によって固定キャップの内部空間を上下に仕切ると共に、仕切片には内容物の通過口を有し、支柱が弾性を有することを特徴とする請求項１、２又は３記載の振出装置。
【請求項８】
支柱の下部を可動キャップが摺動する際の中心部にするために略球面状の摺動面の内側中心部に配置してあることを特徴とする請求項４から７までのうち何れかに記載の振出装置。
【請求項９】
弾性支持部材と可動キャップは別体であって、支柱の上部と可動キャップの内面中央部とを位置決めしてあることを特徴とする請求項４から８までのうち何れかに記載の振出装置。
【請求項１０】
弾性支持部材は、平面視して固定キャップの内部空間の中心に起立する圧縮コイルバネと、圧縮コイルバネを傾倒可能及び復元可能に支える仕切片とを備え、仕切片によって固定キャップの内部空間を上下に仕切ると共に、仕切片には内容物の通過口を有し、圧縮コイルバネの上部と固定キャップの内周面とをそれぞれ位置決めしてあることを特徴とする請求項１、２又は３記載の振出装置。
【請求項１１】
可動キャップはプラスチック射出成形品であり、開口部とは異なる専用の振出口を可動キャップに対して平面視して円周方向にそれぞれ間隔をあけて設け、平面視した可動キャップを基準とした場合に成形時の型の開閉方向となる上下方向に沿って各振出口を型抜き可能に形成してあることを特徴とする請求項１から１０までのうち何れかに記載の振出装置。
【請求項１２】
固定キャップはプラスチック射出成形品であり、開口部とは異なる専用の振出口を固定キャップに対して平面視して円周方向にそれぞれ間隔をあけて設け、平面視した固定キャップを基準とした場合に成形時の型の開閉方向となる上下方向に沿って各振出口を型抜き可能に形成してあることを特徴とする請求項１から１０までのうち何れかに記載の振出装置。
【請求項１３】
操作部を平面視何れかの方向に操作した場合には摺動させた可動キャップの外周のうち操作方向と反対側が開口部よりも持ち上がり、開口部の外周部分が振出口に兼用されることを特徴とする請求項１から１０までのうち何れかに記載の振出装置。
【発明の詳細な説明】
【技術分野】
【０００１】
本発明は、例えば調味料等の粉状物、粒状物等を収容する容器本体を開閉可能に塞ぐ振出装置に関する。
【背景技術】
【０００２】
一般的な振出装置において、その開閉操作を片手で行えるものには、俗にヒンジキャップと言われる、キャップ本体と蓋が薄肉部で連結された一体成形品や、複数部品から構成され、梃子やリンク機構を利用してこれら部品のうち蓋を開閉させるものがある。これらはいずれも周知であって、蓋の開閉方向が一方向となっている。
【０００３】
また、今回の特許出願に際して調査したところ、複数方向へ開閉可能な振出装置が公知となっていた（特許文献１、２）。これらは、容器本体の口部に連結する下側の固定キャップと、固定キャップに対して平面視して前後左右方向又は任意方向に摺動可能な上側の可動キャップとを備えるものである。そして、容器本体の内容物を固定キャップの内部空間を経て外部に吐出する振出口を固定キャップに平面視して前後左右に有し、全ての振出口を塞いでいる平常状態では固定キャップの摺動面と可動キャップの半球面状の摺動面により一部が重なり合いながら全体として略球面状の摺動面が形成されるものである。
【先行技術文献】
【特許文献】
【０００４】
【特許文献１】実開昭６４−６２６０号公報
【特許文献２】特開平８−９１４０９号公報
【発明の概要】
【発明が解決しようとする課題】
【０００５】
ところが、前述した周知の振出装置においては、蓋の開閉方向が一方向に決まっており、通常は、親指で蓋の側面の特定部分（以下、「側面操作部分」という。）を操作するように作られている。しかしながら、料理中に調味料を振り掛ける場合、蓋の側面操作部分を確認して容器を取り上げることは、通常、ない。大概は、無意識のうちに側面操作部分がある場所を想定しながら、瞬時に容器を取り上げるのである。取り上げたときに、親指の位置が側面操作部分に一致していたら良いが、必ずしもそうなるとは限らず、親指の位置が側面操作部分からずれていたら容器を持ち直さなければならなかった。急いで料理をすればするほど、容器を取り上げた際に、親指の位置と側面操作部とは一致しないものである。その上、容器から内容物を吐出させた後、つまり使用後には、振出口を閉めるという蓋の操作が不可欠であった。
【０００６】
また、前述した特許文献１においては、可動キャップの開閉方向が前後左右に決められている。従って、可動キャップを開く操作方向が前後方向に一致していないと、可動キャップの操作方向が強制的に前後方向に変更されたり、可動キャップが動かなかったりすることがありうる。その上、使用後には振出口を閉める操作が必要である。
【０００７】
さらに、前述した特許文献２においては、可動キャップの開閉方向が任意である上に、可動キャップを自動的に閉鎖させる機構として、ゴム状のリングが固定キャップの外側に嵌め込まれている。これは、可動キャップを操作して摺動させるとリングが変形し、その操作を解除するとリングの復元力によって自動的に可動キャップが元に戻るものである。しかしながら、リングが目視可能であるので、その体裁が悪く、商品価値が低いものである。
【０００８】
本発明は上記実情を考慮して創作されたもので、その目的は、操作部の操作方向を全方向とすること、自動的に振出口を閉鎖させること、振出口を自動的に閉鎖させる機構が外側に露出しない体裁の良いものであることの、３条件を兼備する振出装置を提供することである。
【課題を解決するための手段】
【０００９】
本発明は、容器本体の口部に連結する下側の固定キャップと、固定キャップに対して平面視して少なくとも一方向に摺動可能な上側の可動キャップとを備え、容器本体の内容物を固定キャップの内部空間を経て外部に吐出する振出口を固定キャップ又は可動キャップに平面視して前記一方向とは反対方向に有し、全ての振出口を塞いでいる平常状態では固定キャップの摺動面と可動キャップの半球面状の摺動面により全体として略球面状の摺動面が形成される振出装置を前提とする。
【００１０】
そして、請求項１の発明は、固定キャップの上面には内部空間に通じる平面視円形の開口部を有し、固定キャップの内側に可動キャップの下部を収容することによって平常状態では開口部を塞ぐと共に略球面状の摺動面を可動キャップの外面と固定キャップの内面によって形成し、平面視して開口部の中心部であって可動キャップの上面中央部に可動キャップを操作する操作部を備えると共に開口部の外周部を操作部の全方向への移動領域とし、操作部の下方には可動キャップを支える弾性支持部材が延長すると共に弾性支持部材の下部を固定キャップの内側に固定してあり、弾性支持部材は内容物の通過口を有すると共に平面視して全方向に傾倒可能及び復元可能な弾性力を有することを特徴とする。
【００１１】
固定キャップは、何ら組み立てる必要の無い成形品であってもよいが、成形のしやすさを考えると、次のように組み立てるものにすることが望ましい。即ち、請求項２の発明のように、固定キャップは、容器本体の口部に連結する下側の固定キャップ本体部と、固定キャップ本体部の上端部に嵌め合わせる上側の上部リングとを備えるものであり、上部リングは、上面に形成される開口部の内側に可動キャップを保持すると共に、平常状態にある可動キャップの摺動面の下部に重なり合う摺動面を有するものであり、固定キャップ本体部は、内側に弾性支持部材を保持すると共に、摺動状態にある可動キャップの摺動面の下部に重なり合う摺動面を有するものにすることである。
【００１２】
上部リングの摺動面と可動キャップの摺動面とは単に接触するものであってもよいが、密閉性を高めるには次のようにすることが望ましい。即ち、請求項３の発明のように、固定キャップ本体部に上部リングを嵌め合わせることによって可動キャップを介して弾性支持部材が下に押し込まれ、それに伴って発生する弾性支持部材からの上向きの復元力によって上部リングの摺動面と可動キャップの摺動面とが密接して重なり合うようにすることである。
【００１３】
弾性支持部材の一例としては、請求項４の発明がある。即ち、弾性支持部材は、平面視して固定キャップの内部空間の中心に起立する支柱と、支柱を傾倒可能及び復元可能に支える脚とを備え、全ての脚を支柱の下部から垂下させて固定キャップの内側に固定すると共に、脚の周囲を内容物の通過口にし、支柱と全ての脚とのうち少なくとも一方が弾性を有するものである。
【００１４】
脚の設け方の一例としては、請求項５の発明がある。即ち、支柱を傾倒可能及び復元可能に支える脚が複数本であって、全ての脚が縦格子状に設けられていることである。
【００１５】
脚の設け方の一例としては、請求項６の発明もある。即ち、支柱を傾倒可能及び復元可能に支える脚が複数本であって、各脚の形状が末広がりの渦巻状に垂下することである。
【００１６】
弾性支持部材の一例としては、請求項７の発明もある。即ち、弾性支持部材は、平面視して固定キャップの内部空間の中心に起立する支柱と、支柱を傾倒可能及び復元可能に支える仕切片とを備え、仕切片によって固定キャップの内部空間を上下に仕切ると共に、仕切片には内容物の通過口を有し、支柱が弾性を有するものである。
【００１７】
可動キャップが固定キャップに対して理想的に摺動するには、次のようにすることが望ましい。即ち、請求項８の発明のように、支柱の下部を可動キャップが摺動する際の中心部にするために略球面状の摺動面の内側中心部に配置してあることである。
【００１８】
固定キャップに対して可動キャップが摺動するには、可動キャップと固定キャップは、別々に成形された別体のパーツであれば良い。また、可動キャップを支える弾性支持部材は、可動キャップ及び固定キャップの双方と別体のパーツであっても良いし、これら２つのキャップのうち何れか一つのみと一体のパーツ（一体成形品）であっても良い。例えば、可動キャップと弾性支持部材とが一体成形品で、これらと固定キャップが別体となるパターンであっても良く、この場合、弾性支持部材の下端部を固定キャップに嵌め込む等して位置決めする構造が考えられる。また、別のパターンとしては、請求項９の発明のように、弾性支持部材と可動キャップは別体であって、支柱の上部と可動キャップの内面中央部とを位置決めしてあるものである。
【００１９】
弾性支持部材の一例としては、請求項１０の発明もある。即ち、弾性支持部材は、平面視して固定キャップの内部空間の中心に起立する圧縮コイルバネと、圧縮コイルバネを傾倒可能及び復元可能に支える仕切片とを備え、仕切片によって固定キャップの内部空間を上下に仕切ると共に、仕切片には内容物の通過口を有し、圧縮コイルバネの上部と固定キャップの内周面とをそれぞれ位置決めしてあることを特徴とする。
【００２０】
振出口の形状は問わない。製造のし易さを考慮して、振出口の形状を設計すると、次のようにすることが望ましい。例えば、請求項１１の発明のように、可動キャップはプラスチック射出成形品であり、開口部とは異なる専用の振出口を可動キャップに対して平面視して円周方向にそれぞれ間隔をあけて設け、平面視した可動キャップを基準とした場合に成形時の型の開閉方向となる上下方向に沿って各振出口を型抜き可能に形成してあることである。
【００２１】
また、製造のし易さを考慮して、振出口の形状を設計すると、次のようにしても良い。請求項１２の発明のように、固定キャップはプラスチック射出成形品であり、開口部とは異なる専用の振出口を固定キャップに対して平面視して円周方向にそれぞれ間隔をあけて設け、平面視した固定キャップを基準とした場合に成形時の型の開閉方向となる上下方向に沿って各振出口を型抜き可能に形成してあることである。
【００２２】
また、製造のし易さを考慮すると、専用の振出口を作らない場合もある。即ち、請求項１３の発明のように、操作部を平面視何れかの方向に操作した場合には摺動させた可動キャップの外周のうち操作方向と反対側が開口部よりも持ち上がり、開口部の外周部分が振出口に兼用されることである。
【発明の効果】
【００２３】
本発明は、操作部を平面視何れかの方向に操作した場合には弾性支持部材を傾倒させながら可動キャップを固定キャップに対して摺動させて操作方向と反対側の振出口を開き、操作部への操作を解除した場合には弾性支持部材の復元力によって可動キャップを摺動させて全ての振出口を閉じることができる。従って、振出口をあける場合には可動キャップを平面視して全方向に指で操作できるし、振出口を閉じる場合には指を離せば自動的に可動キャップが閉まる。しかも、操作部が可動キャップの中心部にあるので、容器を取り上げた際に持ち直すことなく、操作部を操作できる。また、弾性支持部材が内部空間に収容されており、外部に露出していないので、外観が良い。なお、容器本体に収容された内容物を、弾性支持部材の通過口、振出口を順次経て外部に吐出することができる。
【００２４】
請求項２の発明は、略球面状の摺動面の下側となる固定キャップ本体部と、上側となる上部リングとを嵌め合わせることによって固定キャップとするものなので、固定キャップ本体部と上部リングが連続しているものに比べて、成形しやすい。
【００２５】
請求項３の発明は、固定キャップ本体部に上部リングを嵌め合わせることによって可動キャップを介して弾性支持部材が下に押し込まれ、それに伴って発生する弾性支持部材からの上向きの復元力によって上部リングの摺動面と可動キャップの摺動面とが密接して重なり合うものなので、固定キャップと可動キャップとの密閉性が向上し、内容物の鮮度保持に望ましい。
【００２６】
請求項４の発明は、可動キャップを支える弾性支持部材が、支柱と脚とを備え、全ての脚を支柱の下部の周囲から垂下させて固定キャップの内側に固定しつつ、支柱と全ての脚とのうち少なくとも一方が弾性を有するので、支柱が傾倒可能及び復元可能となり、弾性支持部材の復元力によって可動キャップを摺動させることができる。また、脚の周囲を内容物の通過口にしてあるので、容器本体に収容された内容物を、通過口、振出口を順次経て外部に吐出することができる。
【００２７】
請求項５の発明は、複数本からなる全ての脚が縦格子状であり、脚の周囲、即ち、隣り合う脚同士の間を内容物の通過口にしてあるので、内容物を外部に吐出することができる。
【００２８】
請求項６の発明は、全ての脚を支柱の下部から末広がりの渦巻き状に垂下させてある以外は請求項４の発明と同様である。
【００２９】
請求項７の発明は、弾性を有する支柱がしなり、その支柱を仕切板が支えることによって、可動キャップを固定キャップに対して摺動させることができる。
【００３０】
請求項８の発明は、支柱の下部を可動キャップが摺動する際の中心部にするために略球面状の摺動面の内側中心部に配置してあるので、可動キャップが摺動し易くなり、操作しやすい。
【００３１】
請求項９の発明は、弾性支持部材と可動キャップが別体であって、支柱の上部と可動キャップの内面中央部とを位置決めしてあるので、組み立て易く、各パーツも製造し易い。
【００３２】
請求項１０の発明は、弾性支持部材が圧縮コイルバネを用いるものであり、弾性支持部材と可動キャップとが別体なので、組み立て易く、各パーツも製造し易い。
【００３３】
請求項１１の発明は、振出口を型抜き可能に開口してあるので、可動キャップのプラスチック射出成形がし易い。
【００３４】
請求項１２の発明も、振出口を型抜き可能に開口してあるので、固定キャップのプラスチック射出成形がし易い。
【００３５】
請求項１３の発明は、開口部の外周部を振出口に兼用するものなので、専用の開口部がなくとも内容物を吐出することができ、製造もし易い。
【図面の簡単な説明】
【００３６】
【図１】（イ）〜（ホ）図は、振出装置の第一実施形態を示す平常状態の斜視図、摺動状態の斜視図、縦断面図、並びに上部リングを外した状態の斜視図、固定キャップ本体部の斜視図である。
【図２】（イ）（ロ）図は、振出装置の第二実施形態を示す平常状態の斜視図、固定キャップ本体部と上部リングとの嵌め合いを解除した状態の斜視図である。
【図３】（イ）〜（ハ）図は、振出装置の第三実施形態を示す摺動状態の斜視図、縦断面図、並びに上部リングを外した状態の斜視図である。
【図４】（イ）〜（ハ）図は、振出装置の第四実施形態を示す平常状態の斜視図、摺動状態の斜視図、縦断面図である。
【図５】（イ）〜（ハ）図は、振出装置の第五実施形態を示す平常状態の斜視図、摺動状態の斜視図、縦断面図である。
【図６】（イ）（ロ）図は、振出装置の第六実施形態を示す縦断面図、固定キャップ本体部の斜視図である。
【図７】（イ）（ロ）図は、振出装置の第七実施形態を示す縦断面図、固定キャップ本体部の斜視図である。
【図８】（イ）（ロ）図は、振出装置の第八実施形態を示す縦断面図、固定キャップ本体部の斜視図である。
【図９】（イ）〜（ハ）図は、振出装置の第九実施形態を示す摺動状態の斜視図、縦断面図、上部リングを外した状態の斜視図である。
【発明を実施するための形態】
【００３７】
図１に示す振出装置１の第一実施形態は、図示しない容器本体の口部に連結する下側の固定キャップ２と、固定キャップ２に対して平面視して全方向に摺動可能な上側の可動キャップ３と、固定キャップ２の内側において可動キャップ３を下から支える弾性支持部材４とを備えているものである。以下、振出装置１の全体構造の概要、固定キャップ２、弾性支持部材４、可動キャップ３の順に説明する。
【００３８】
振出装置１の全体構造の概要は、次の通りである。中空の球の上部に相当する形状に可動キャップ３が形成されている。また、容器本体の内容物を吐出する振出口３１が可動キャップ３の下部の円周方向全周に亘って等間隔をあけて形成されている。一方、固定キャップ２の上部が、可動キャップ３よりも一回り大きな中空の球の上端部と下端部を切除した形状に形成されている。固定キャップ２は中空であるので内部空間２１を有している。また、固定キャップ２の上面には内部空間２１に通じる開口部２２が形成されている。開口部２２の内側に可動キャップ３の下部が収容されており、一方、可動キャップ３の上部表面が外部に露出している。固定キャップ２の内部空間２１には弾性支持部材４が収容され、弾性支持部材４の下部が固定キャップ２の内側に支持される。下部以外の部分において弾性支持部材４は可動キャップ３の内面中心部を支えるべく上向きに延長しており、平面視して全方向に傾倒可能及復元可能に設けられている。全ての振出口３１が固定キャップ２によって塞がれている平常状態では、固定キャップ２の上部と可動キャップ３とで、略球面形状の摺動面が形成される。この摺動面に沿って可動キャップ３を摺動させるために、可動キャップ３の上面中心部には平面視して全方向に操作可能な操作部３２が真上に突出している。
【００３９】
次に固定キャップ２について説明する。固定キャップ２は、容器本体に連結する下側の固定キャップ本体部２ａと、全ての振出口３１を塞ぐ上側の上部リング２ｂとを備えている。また、固定キャップ本体部２ａと上部リング２ｂは別体であって、固定キャップ本体部２ａの上に上部リング２ｂを嵌め合わせることによって両者が一体化する。なお、固定キャップ２には弾性支持部材４が一体に設けられている。
【００４０】
固定キャップ本体部２ａは、容器本体の円筒状の口部に連結する連結壁２３と、摺動状態の可動キャップ３の外周面に接する下部リング２４とを備えている。連結壁２３は、円筒状であって、その下部内周面には雌ネジ部２５が形成されている。この雌ネジ部２５は、図示しない容器本体の口部の外周面に形成された雄ネジ部に捩じ込むものである。下部リング２４は、中空の球の下半分からその下端部（底部）を切除した形状であって、連結壁２３の上端全周から上方に延長しながら半径方向外側に広がっている。
【００４１】
上部リング２ｂは、中空の球の上半分からその上端部を切除した形状である。上部リング２ｂの上面内周側には平面視して円形状の開口部２２が形成される。上部リング２ｂの下端面と下部リング２４の上端面とが嵌まり合うように、双方の円周方向全周に亘って断面楔状の凹部２６又は凸部２７が別々に形成されている。下部リング２４の上端の内周部に形成されているものが上向きの凸部２７であるとすると、上部リング２ｂの下端の内周面に形成されているものが凹部２６となる。この凹部２６の上端内周全周から環状の裾壁２８が垂下している。この裾壁２８が下部リング２４の凸部２７の内周面の上（内側）に重なり合っている。従って、裾壁２８の内面に内容物（例えば粉や粒）が付いても、粉等がその自重により落下して、凹部２６と凸部２７との嵌合箇所に侵入しづらい。
【００４２】
また、裾壁２８が薄肉であるので、裾壁２８の内周面と下部リング２４の内周面とが殆ど段差無く連続する状態になっており、それゆえこれらの内周面が摺動面となり、平常状態及び摺動状態の可動キャップ３の摺動面（上面）の下部に重なり合う。この重なり合い具合は密接している。それは、上部リング２ｂと固定キャップ本体部２ａとが嵌り合っている状態では、上部リング２ｂが可動キャップ３を介して弾性支持部材４を下方に軽く押し込んでおり、それ故、弾性支持部材４には上向きの復元力が作用するからである。また、この復元力に逆らって、上部リング２ｂは可動キャップ３を開口部２２の内側に保持している。さらに、上部リング２ｂの上端面は厳密な水平面ではなく、内周部が半径方向内側に向かうにつれて緩やかに高くなるテーパ形状となっている。このテーパ部分を含む内周部が薄肉のシール片２９となり、薄肉であるから他の箇所よりも弾力性に富む部分となっている。このため、シール片２９が復元力によって押し上げられる可動キャップ３の表面に確実に密接する。また、内容物である粉等を振り出した際に、可動キャップ３の表面外周部に粉等が付着していても、可動キャップ３が元に戻るように摺動する際にシール片２９によって粉等が掻き出されて落下するようになり、上部リング２ｂと可動キャップ３の摺動面同士の間に、粉等が挟まらないようになる。
【００４３】
次に弾性支持部材４について説明する。弾性支持部材４は、可動キャップ３を支える支柱４１と、支柱４１を傾倒可能及び復元可能に支える複数本の脚４２と、各脚４２の下端部を固定キャップ本体部２ａに固定する足壁４３とを備えている。
【００４４】
支柱４１は、内部空間２１の中心部に起立する棒状部４４と、棒状部４４の下端から段差状に外周側に張り出す円形状の接続盤部４５とを備えている。棒状部４４は、開口部２２よりも上まで延長するものである。また、棒状部４４は、上端に向かって徐々に細くなっており、その上端部４４ａが段付きに細くなっている。この棒状部４４の上部が可動キャップ３の内面中心部に位置決めされている。また、接続盤部４５は、略球面状の摺動面の中心部の位置に配置されており、これにより略球面状の摺動面の内側中心部が、可動キャップ３が摺動する際の中心部になる。
【００４５】
足壁４３は平面視環状であって、固定キャップ本体部２ａの連結壁２３、より詳しく言えば、連結壁２３と下部リング２４との境目における内周全周に沿って内向きに張り出している。従って、足壁４３の張出位置が固定キャップ２の摺動面の下端、つまり可動キャップ３の摺動領域の限界位置になり、可動キャップ３の外周端が足壁４３に衝突可能になっている。足壁４３は全体として略水平になっており、より詳しく言えば、足壁４３の上面は、外周部を水平に、内周部を徐々に低くなるテーパ状に形成してある。また、足壁４３の内側に形成される開口が内容物の導入口４６となる。平面視すると、この導入口４６の中心部に支柱４１が位置する配置関係となる。
【００４６】
各脚４２は、接続盤部４５の外周部と足壁４３の内周部との間に架設してある。また、各脚４２の形状は、その上部においては下に向かうにつれて徐々に半径方向外側に膨らむ状態で湾曲し、それよりも下側においては略真下にそのまま垂下し、その後、下端部が足壁４３に向かって略水平に延びる形状をしている。全ての脚４２が円周方向に等間隔をあけて縦格子状に設けてあり、隣り合う脚４２同士の間が内容物の通過口４７になる。
【００４７】
次に可動キャップ３について説明する。可動キャップ３は、開口部２２を塞ぐ上蓋壁３３と、上蓋壁３３の頂部（上面中央部）に形成される操作部３２と、上蓋壁３３の内面中央部に形成される支柱用の収容部３４とを備えている。
【００４８】
上蓋壁３３は、中空の球の上側半分に相似する形状である。上蓋壁３３の下端面は、半径方向内側に向かって高くなる傾斜面となっている。上蓋壁３３の下部にはその円周方向全周に亘って等間隔をあけて専用の振出口３１が形成されている。可動キャップ３を射出成形における成形時の型の開閉方向（図では上下方向）に沿って型抜き可能に振出口３１は形成されている。より詳しく言えば、振出口３１は、上蓋壁３３の肉厚方向に貫通するだけでなく、下端に向かって型抜き可能に開口するスリットである。スリットは、上蓋壁３３の頂部を中心にして放射状方向に延びる縦長形状であり、上端を上側に膨らむ円弧形状としてある。
【００４９】
操作部３２は、上蓋壁３３から上方に突出する円柱状のジョイント部３２ａと、ジョイント部３２ａの上に連続する球状の操作本体部３２ｂとを備えている。操作本体部３２ｂは半径がジョイント部３２ａのそれよりも大きな球である。
【００５０】
収容部３４は真上方向に延びる穴であって、穴の奥は操作本体部３２ｂの中心部分にまで達している。また、上蓋壁３３から下向きに筒３５が垂下しており、筒３５の内側が穴の入口部分となる。穴の入口部分は、段付き形状である支柱４１の上端部に合わせて、段付き形状としてある。段付き形状であることから、支柱４１が穴の奥側に侵入しないようになり、固定キャップ２と可動キャップ３との密接状態を保持している。
【００５１】
上述した固定キャップ２及び可動キャップ３は、プラスチック射出成形品である。また、固定キャップ２と一体成形される弾性支持部材４は、プラスチックの弾力性により平面視して全方向に傾倒可能及び復元可能となるものであり、その材質は、ポリプロプレン又はポリアセタールが望ましい。
【００５２】
上述した振出装置１は以下の要領で使用する。全ての振出口３１を塞いでいる平常状態では、平面視すると、開口部２２の中心部に操作部３２（より詳しくは操作部３２の付け根であるジョイント部３２ａ）が位置しており、その中心部よりも外側部分、つまり開口部２２の外周部が操作部３２の全方向への環状の移動領域となる（但し、後述するが、厳密に言えば、開口部２２の外周部全域が移動領域となるのではない。）。この移動領域を利用して操作部３２を平面視して任意の方向に指で操作すると、開口部の外周部に操作部のジョイント部が移動して、弾性支持部材４の支柱４１がしなりながら傾倒し、このとき全ての脚４２も変形して、可動キャップ３が摺動する。それに伴って操作方向と反対側の振出口３１が開口部２２よりも上がって開口し、内容物を振り出すことができる。なお、振出口３１をさらに大きく開口させようとして、操作部３２を同方向に操作すると、可動キャップ３の外周端が固定キャップ２内の足壁４３に衝突して、可動キャップ３がそれ以上摺動しないようになっている。このとき、上部リング２ｂのシール片２９と操作部３２の付け根であるジョイント部３２ａとは、離れている。これは、シール片２９とジョイント部３２ａとの干渉を防止して、シール片２９の機能を充分に発揮できるようにするためである。従って、シール片２９の内側には開口部２２が形成されるが、開口部２２の外周部のうちシール片２９の近傍領域は、移動領域とはならない。一方、操作部３２から指を離すと、弾性支持部材４の復元力によって支柱が起立するように可動キャップ３が摺動し、全ての振出口３１が開口部２２よりも下がって閉口する。
【００５３】
振出装置１の第二実施形態は、図２に示すように、固定キャップ本体部２ａと上部リング２ｂとを一体成形品とするヒンジ片２ｃが設けられていることが、第一実施形態との相違点である。ヒンジ片２ｃは、固定キャップ本体部２ａや上部リング２ｂよりも薄肉であって、嵌め合わせた固定キャップ本体部２ａと上部リング２ｂとの外周側に張り出している。そして、ヒンジ片２ｃの一端部は、嵌め合わせ箇所の近傍において、固定キャップ本体部２ａの下部リング２４に、他端部は上部リング２ｂに接続している。ヒンジ片２ｃは、その長手方向中間部が一段と薄肉になっており、上部リング２ｂを固定キャップ本体部２ａに嵌め合わせた状態では、二重に折り重なった状態となる。
【００５４】
振出装置１の第三実施形態は、図３に示すように、可動キャップ３に形成される専用の振出口３１が孔であることが、第一実施形態との相違点である。より詳しく言えば、孔は円形状であって、可動キャップ３の下端に向かって開口しておらず、肉厚方向にのみ貫通するものである。
【００５５】
振出装置１の第四実施形態は図４に、振出装置１の第五実施形態は、図５にそれぞれ示してある。これらは、何れも専用の振出口３１が固定キャップ２（上部リング２ｂ）に形成されていることが、第一実施形態との相違点である。
第四実施形態では、専用の振出口３１の形状を第一実施形態と同様にしてある。つまり、専用の振出口３１は、固定キャップ２の上端に向かって型抜き可能に開口するスリットであり、このスリットも略球面状の摺動面となる頂点に向かって放射状に延びる縦長形状である。
一方、第五実施形態では、専用の振出口３１の形状を孔としてある。この孔も円形状であって、固定キャップ２の上端に向かって開口しておらず、肉厚方向にのみ貫通するものである。
【００５６】
振出装置１の第六実施形態は図６に示すように、弾性支持部材４、特に脚４２が第一実施形態との相違点である。各脚４２の形状が末広がりの渦巻状に垂下する形状としてあり、これら複数本の全ての脚４２は支柱４１と足壁４３に円周方向全周に亘って等間隔おきに架設されている。
【００５７】
振出装置１の第七実施形態は図７に示すように、弾性支持部材４の構成が第一実施形態との相違点である。弾性支持部材４は、固定キャップ２の内部空間２１を上下に仕切る円形状の仕切片４８と、仕切片４８の中心部から起立する支柱４１とを備えている。仕切片４８は、固定キャップ本体部２ａの連結壁２３の上部の内周側に沿って水平に突出している。また、仕切片４８には、支柱４１の周囲に間隔をあけて複数の通過口４７が形成されている。この場合、操作部３２を平面視何れかの方向に操作すると、弾性支持部材４の支柱４１がしなりながら傾倒し、このとき仕切片４８も支柱４１との連続部分において変形して、可動キャップ３が摺動する。
【００５８】
振出装置１の第八実施形態は図８に示すように、弾性支持部材４の構成が第一実施形態との相違点である。弾性支持部材４は、前述した通過口４７を有する仕切片４８と、起立する金属製の圧縮コイルバネ４９とを備え、仕切片４８の中心部と可動キャップ３の内周面中心部との間に圧縮コイルバネ４９を位置決めしてある。圧縮コイルバネ４９の上下端部を位置決めするために、仕切片４８の中心部には圧縮コイルバネ４９の中に嵌り込む上向き突起４８ａが上方に突出し、可動キャップ３の上蓋壁３３の内面中心部には圧縮コイルバネ４９の中に嵌り込む下向き突起３３ａが下方に垂下している。圧縮コイルバネ４９は、わずかに収縮した状態で収容されており、それにより可動キャップ３と固定キャップ２の摺動面が密接して重なり合っている。
【００５９】
振出装置１の第九実施形態は図９に示すように、専用の振出口３１が設けられておらず、開口部２２の外周部分を振出口３１に兼用しているものである。これは、可動キャップ３の上蓋壁３３の形状が、中空の球を下側半分よりも少し上の位置で略水平に切除した形状である。従って、平常状態において、可動キャップ３と固定キャップ２の摺動面の重なり具合が、第一実施形態よりも浅くなっている。この場合、操作部３２を平面視何れかの方向に操作した場合には摺動させた可動キャップ３の外周のうち操作方向と反対側が開口部２２よりも持ち上がり、その結果、開口部２２の外周部が局部的に開いて振出口３１になり、内容物が通過可能となる。
【００６０】
本発明は上記実施形態に限定されるものではない。例えば、第一実施形態では、固定キャップ２と弾性支持部材４は一体であったが、固定キャップ２と弾性支持部材４とを別体で成形し、上下に嵌め合わせることによって一体化するものであっても良い。例えば、弾性支持部材４の足壁４３の外周部に沿って下向きの凸を、固定キャップ２の連結壁２３から内周に沿って上向きの凹を形成し、凹凸を嵌め合わせるようなものである。なお、固定キャップ２を構成する固定キャップ本体部２ａと上部リング２ｂとが別体である場合には、異なる色を採用しても良い。上部リング２ｂを透明にすることにより、可動キャップ３の振出口３１が上部リング２ｂ越しに目視できるようにしても良い。
【００６１】
また、支柱４１の上部と可動キャップ３の内面中央部との位置決め構造は、支柱４１と可動キャップ３とが半径方向に殆ど隙間の無い状態に嵌り合う構造に限らず、半径方向に遊びがある状態に収容される構造であっても良い。例えば、支柱４１の上端が可動キャップ３の穴の底に接しながらも、支柱４１の上部よりも可動キャップ３の穴が幾分広い構造である。この場合、操作部３２を操作しても直ぐには可動キャップ３は摺動せず、少量操作して可動キャップ３の穴に支柱４１の上部が干渉することによって始めて可動キャップ３が摺動する。
【００６２】
さらに、固定キャップ２や可動キャップ３を射出成形する際の型の開閉方向に沿って型抜き可能とするための振出口３１の形状は、固定キャップ２の上部リング２ｂの上端や、可動キャップ３の上蓋壁３３の下端に向かって開口するスリットに限らない。例えば、上蓋壁３３の外周部においてその上下方向に貫通する抜穴であっても良い。この場合の抜穴は、肉厚方向に対しては斜めに貫通し、上蓋壁３３の下端に向かって開口しないことになる。
【００６３】
その他には、脚４２は複数本に限らず、一本だけでもよく、例えば渦巻状に複数回回転しながら末広がりに垂下する円錐コイルバネ形状であっても良い。また、足壁４３なしに直に固定キャップ本体部２ａの内周面に脚４２の下端部を固定しても良い。さらに、操作部３２は上方に突出させることによって、操作しやすくしてあるが、指先が入る凹みであっても良い。
【符号の説明】
【００６４】
１振出装置                              ２固定キャップ
２ａ固定キャップ本体部                  ２ｂ上部リング
２ｃヒンジ片
３可動キャップ                          ４弾性支持部材
２１内部空間                          ２２開口部
２３連結壁                            ２４下部リング
２５雌ネジ部                          ２６凹部
２７凸部                              ２８裾壁
２９シール片
３１振出口                            ３２操作部
３２ａジョイント部                    ３２ｂ操作本体部
３３上蓋壁                            ３３ａ下向き突起
３４収容部                            ３５筒
４１支柱                              ４２脚
４３足壁                              ４４棒状部
４４ａ上端部                          ４５接続盤部
４６導入口                            ４７通過口
４８仕切片                            ４８ａ上向き突起
４９圧縮コイルバネ
【図１】
2011168328.tif 000003
【図２】
2011168328.tif 000004
【図３】
2011168328.tif 000005
【図４】
2011168328.tif 000006
【図５】
2011168328.tif 000007
【図６】
2011168328.tif 000008
【図７】
2011168328.tif 000009
【図８】
2011168328.tif 000010
【図９】
2011168328.tif 000011
【手続補正書】
【提出日】平成22年7月15日(2010.7.15)
【手続補正１】
【補正対象書類名】特許請求の範囲
【補正対象項目名】全文
【補正方法】変更
【補正の内容】
【特許請求の範囲】
【請求項１】
容器本体の口部に連結する下側の固定キャップと、固定キャップに対して平面視して少なくとも一方向に摺動可能な上側の可動キャップとを備え、容器本体の内容物を固定キャップの内部空間を経て外部に吐出する振出口を固定キャップ又は可動キャップに平面視して前記一方向とは反対方向に有し、可動キャップには下部を切除した球の外面に相当する半球面状の摺動面が形成され、固定キャップには上端部と下端部を切除した中空の球の内面に相当する摺動面が形成され、全ての振出口を塞いでいる平常状態では固定キャップの摺動面の上部に可動キャップの摺動面の下部が重なり合い、振出口を開いている摺動状態では固定キャップの摺動面の下部に可動キャップの摺動面の下部の一部が重なり合う振出装置において、
可動キャップの上面中央部には平面視して可動キャップを全方向へ操作可能な操作部を備えると共に、固定キャップの上面には内部空間に通じる平面視円形の開口部を有し、固定キャップの内側に可動キャップの下部を収容することによって、平常状態では可動キャップの上部が突出しながら開口部を塞ぐと共に平面視した場合に可動キャップの操作部が開口部の中心部に位置し且つ中心部の周りである開口部の外周部に向かって移動可能になり、
操作部の下方には可動キャップを支える弾性支持部材が可動キャップと一体又は別体にして設けられると共に弾性支持部材の下部を固定キャップの内側に固定してあり、
弾性支持部材は内容物の通過口を有すると共に平面視して全方向に傾倒可能及び復元可能な弾性力を有するもので、
固定キャップは、容器本体の口部に連結する下側の固定キャップ本体部と、固定キャップ本体部の上端部に嵌め合わせる上側の上部リングとを備えるものであり、
上部リングは、上面に形成される開口部の内側に可動キャップを保持すると共に、平常状態にある可動キャップの摺動面の下部に重なり合う摺動面を有するものであり、
固定キャップ本体部は、内側に弾性支持部材を保持すると共に、摺動状態にある可動キャップの摺動面の下部に重なり合う摺動面を有するものであり、
固定キャップ本体部に上部リングを嵌め合わせることによって可動キャップを介して弾性支持部材が下に押し込まれ、それに伴って発生する弾性支持部材からの上向きの復元力によって上部リングの摺動面と可動キャップの摺動面とが密接して重なり合うことを特徴とする振出装置。
【請求項２】
容器本体の口部に連結する下側の固定キャップと、固定キャップに対して平面視して少なくとも一方向に摺動可能な上側の可動キャップとを備え、容器本体の内容物を固定キャップの内部空間を経て外部に吐出する振出口を固定キャップ又は可動キャップに平面視して前記一方向とは反対方向に有し、可動キャップには下部を切除した球の外面に相当する半球面状の摺動面が形成され、固定キャップには上端部と下端部を切除した中空の球の内面に相当する摺動面が形成され、全ての振出口を塞いでいる平常状態では固定キャップの摺動面の上部に可動キャップの摺動面の下部が重なり合い、振出口を開いている摺動状態では固定キャップの摺動面の下部に可動キャップの摺動面の下部の一部が重なり合う振出装置において、
可動キャップの上面中央部には平面視して可動キャップを全方向へ操作可能な操作部を備えると共に、固定キャップの上面には内部空間に通じる平面視円形の開口部を有し、固定キャップの内側に可動キャップの下部を収容することによって、平常状態では可動キャップの上部が突出しながら開口部を塞ぐと共に平面視した場合に可動キャップの操作部が開口部の中心部に位置し且つ中心部の周りである開口部の外周部に向かって移動可能になり、
操作部の下方には可動キャップを支える弾性支持部材が可動キャップと一体又は別体にして設けられると共に弾性支持部材の下部を固定キャップの内側に固定してあり、
弾性支持部材は内容物の通過口を有すると共に平面視して全方向に傾倒可能及び復元可能な弾性力を有するもので、
平面視して固定キャップの内部空間の中心に起立する支柱と、支柱を傾倒可能及び復元可能に支える複数本の脚とを備え、全ての脚を支柱の下部から垂下させて固定キャップの内側に固定すると共に、脚の周囲を内容物の通過口にしてあることを特徴とする振出装置。
【請求項３】
全ての脚が縦格子状に設けられていることを特徴とする請求項２記載の振出装置。
【請求項４】
各脚の形状が末広がりの渦巻状に垂下することを特徴とする請求項２記載の振出装置。
【請求項５】
可動キャップはプラスチック射出成形品であり、専用の振出口を可動キャップに対して平面視して円周方向にそれぞれ間隔をあけて設け、側面視した可動キャップを基準とした場合に成形時の型の開閉方向となる上下方向に沿って各振出口を型抜き可能に形成してあることを特徴とする請求項１、２、３又は４記載の振出装置。
【請求項６】
固定キャップはプラスチック射出成形品であり、開口部とは異なる専用の振出口を固定キャップに対して平面視して円周方向にそれぞれ間隔をあけて設け、側面視した固定キャップを基準とした場合に成形時の型の開閉方向となる上下方向に沿って各振出口を型抜き可能に形成してあることを特徴とする請求項１、２、３、４又は５記載の振出装置。
【手続補正２】
【補正対象書類名】明細書
【補正対象項目名】０００９
【補正方法】変更
【補正の内容】
【０００９】
本発明は、容器本体の口部に連結する下側の固定キャップと、固定キャップに対して平面視して少なくとも一方向に摺動可能な上側の可動キャップとを備え、容器本体の内容物を固定キャップの内部空間を経て外部に吐出する振出口を固定キャップ又は可動キャップに平面視して前記一方向とは反対方向に有し、可動キャップには下部を切除した球の外面に相当する半球面状の摺動面が形成され、固定キャップには上端部と下端部を切除した中空の球の内面に相当する摺動面が形成され、全ての振出口を塞いでいる平常状態では固定キャップの摺動面の上部に可動キャップの摺動面の下部が重なり合い、振出口を開いている摺動状態では固定キャップの摺動面の下部に可動キャップの摺動面の下部の一部が重なり合う振出装置を前提とする。
【手続補正３】
【補正対象書類名】明細書
【補正対象項目名】００１０
【補正方法】変更
【補正の内容】
【００１０】
そして、請求項１の発明は、可動キャップの上面中央部には平面視して可動キャップを全方向へ操作可能な操作部を備えると共に、固定キャップの上面には内部空間に通じる平面視円形の開口部を有し、固定キャップの内側に可動キャップの下部を収容することによって、平常状態では可動キャップの上部が突出しながら開口部を塞ぐと共に平面視した場合に可動キャップの操作部が開口部の中心部に位置し且つ中心部の周りである開口部の外周部に向かって移動可能になり、操作部の下方には可動キャップを支える弾性支持部材が可動キャップと一体又は別体にして設けられると共に弾性支持部材の下部を固定キャップの内側に固定してあり、弾性支持部材は内容物の通過口を有すると共に平面視して全方向に傾倒可能及び復元可能な弾性力を有するもので、固定キャップは、容器本体の口部に連結する下側の固定キャップ本体部と、固定キャップ本体部の上端部に嵌め合わせる上側の上部リングとを備えるものであり、上部リングは、上面に形成される開口部の内側に可動キャップを保持すると共に、平常状態にある可動キャップの摺動面の下部に重なり合う摺動面を有するものであり、固定キャップ本体部は、内側に弾性支持部材を保持すると共に、摺動状態にある可動キャップの摺動面の下部に重なり合う摺動面を有するものであり、固定キャップ本体部に上部リングを嵌め合わせることによって可動キャップを介して弾性支持部材が下に押し込まれ、それに伴って発生する弾性支持部材からの上向きの復元力によって上部リングの摺動面と可動キャップの摺動面とが密接して重なり合うことを特徴とする。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】変更
【補正の内容】
【００１３】
また、請求項２の発明は、可動キャップの上面中央部には平面視して可動キャップを全方向へ操作可能な操作部を備えると共に、固定キャップの上面には内部空間に通じる平面視円形の開口部を有し、固定キャップの内側に可動キャップの下部を収容することによって、平常状態では可動キャップの上部が突出しながら開口部を塞ぐと共に平面視した場合に可動キャップの操作部が開口部の中心部に位置し且つ中心部の周りである開口部の外周部に向かって移動可能になり、操作部の下方には可動キャップを支える弾性支持部材が可動キャップと一体又は別体にして設けられると共に弾性支持部材の下部を固定キャップの内側に固定してあり、弾性支持部材は内容物の通過口を有すると共に平面視して全方向に傾倒可能及び復元可能な弾性力を有するもので、平面視して固定キャップの内部空間の中心に起立する支柱と、支柱を傾倒可能及び復元可能に支える複数本の脚とを備え、全ての脚を支柱の下部から垂下させて固定キャップの内側に固定すると共に、脚の周囲を内容物の通過口にしてあることを特徴とする。
【手続補正７】
【補正対象書類名】明細書
【補正対象項目名】００１４
【補正方法】変更
【補正の内容】
【００１４】
脚の設け方の一例としては、請求項３の発明がある。即ち、全ての脚が縦格子状に設けられていることである。
【手続補正８】
【補正対象書類名】明細書
【補正対象項目名】００１５
【補正方法】変更
【補正の内容】
【００１５】
脚の設け方の一例としては、請求項４の発明もある。即ち、各脚の形状が末広がりの渦巻状に垂下することである。
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】変更
【補正の内容】
【００２０】
振出口の形状は問わない。製造のし易さを考慮して、振出口の形状を設計すると、次のようにすることが望ましい。例えば、請求項５の発明のように、可動キャップはプラスチック射出成形品であり、専用の振出口を可動キャップに対して平面視して円周方向にそれぞれ間隔をあけて設け、側面視した可動キャップを基準とした場合に成形時の型の開閉方向となる上下方向に沿って各振出口を型抜き可能に形成してあることである。
【手続補正１４】
【補正対象書類名】明細書
【補正対象項目名】００２１
【補正方法】変更
【補正の内容】
【００２１】
また、製造のし易さを考慮して、振出口の形状を設計すると、次のようにしても良い。請求項６の発明のように、固定キャップはプラスチック射出成形品であり、開口部とは異なる専用の振出口を固定キャップに対して平面視して円周方向にそれぞれ間隔をあけて設け、側面視した固定キャップを基準とした場合に成形時の型の開閉方向となる上下方向に沿って各振出口を型抜き可能に形成してあることである。
【手続補正１５】
【補正対象書類名】明細書
【補正対象項目名】００２２
【補正方法】削除
【補正の内容】
【手続補正１６】
【補正対象書類名】明細書
【補正対象項目名】００２４
【補正方法】変更
【補正の内容】
【００２４】
請求項１の発明は、下側となる固定キャップ本体部と、上側となる上部リングとを嵌め合わせることによって固定キャップとするものなので、固定キャップ本体部と上部リングが連続しているものに比べて、成形しやすい。
【手続補正１７】
【補正対象書類名】明細書
【補正対象項目名】００２５
【補正方法】変更
【補正の内容】
【００２５】
また、請求項１の発明は、固定キャップ本体部に上部リングを嵌め合わせることによって可動キャップを介して弾性支持部材が下に押し込まれ、それに伴って発生する弾性支持部材からの上向きの復元力によって上部リングの摺動面と可動キャップの摺動面とが密接して重なり合うものなので、固定キャップと可動キャップとの密閉性が向上し、内容物の鮮度保持に望ましい。
【手続補正１８】
【補正対象書類名】明細書
【補正対象項目名】００２６
【補正方法】変更
【補正の内容】
【００２６】
請求項２の発明は、可動キャップを支える弾性支持部材が、支柱と複数本の脚とを備え、全ての脚を支柱の下部の周囲から垂下させて固定キャップの内側に固定しつつ、脚が支柱を傾倒可能及び復元可能に支えるので、脚の復元力によって可動キャップを摺動させることができる。また、脚の周囲を内容物の通過口にしてあるので、容器本体に収容された内容物を、通過口、振出口を順次経て外部に吐出することができる。
【手続補正１９】
【補正対象書類名】明細書
【補正対象項目名】００２７
【補正方法】変更
【補正の内容】
【００２７】
請求項３の発明は、複数本からなる全ての脚が縦格子状であり、脚の周囲、即ち、隣り合う脚同士の間を内容物の通過口にしてあるので、内容物を外部に吐出することができる。
【手続補正２０】
【補正対象書類名】明細書
【補正対象項目名】００２８
【補正方法】変更
【補正の内容】
【００２８】
請求項４の発明は、全ての脚を支柱の下部から末広がりの渦巻き状に垂下させてある以外は請求項４の発明と同様である。
【手続補正２１】
【補正対象書類名】明細書
【補正対象項目名】００２９
【補正方法】削除
【補正の内容】
【手続補正２２】
【補正対象書類名】明細書
【補正対象項目名】００３０
【補正方法】削除
【補正の内容】
【手続補正２３】
【補正対象書類名】明細書
【補正対象項目名】００３１
【補正方法】削除
【補正の内容】
【手続補正２４】
【補正対象書類名】明細書
【補正対象項目名】００３２
【補正方法】削除
【補正の内容】
【手続補正２５】
【補正対象書類名】明細書
【補正対象項目名】００３３
【補正方法】変更
【補正の内容】
【００３３】
請求項５の発明は、振出口を型抜き可能に開口してあるので、可動キャップのプラスチック射出成形がし易い。
【手続補正２６】
【補正対象書類名】明細書
【補正対象項目名】００３４
【補正方法】変更
【補正の内容】
【００３４】
請求項６の発明も、振出口を型抜き可能に開口してあるので、固定キャップのプラスチック射出成形がし易い。
【手続補正２７】
【補正対象書類名】明細書
【補正対象項目名】００３５
【補正方法】削除
【補正の内容】
【手続補正２８】
【補正対象書類名】明細書
【補正対象項目名】００６３
【補正方法】変更
【補正の内容】
【００６３】
その他には、足壁４３なしに直に固定キャップ本体部２ａの内周面に脚４２の下端部を固定しても良い。さらに、操作部３２は上方に突出させることによって、操作しやすくしてあるが、指先が入る凹みであっても良い。